(57)【特許請求の範囲】
【請求項１】
本体内に設けられた電動モーターの出力回転軸をこの本体の上面に突出させ、この出力回転軸に防虫成分を含浸させた基体が連結されるとともに、前記本体の上部には全周にわたって多数の揮散用のスリットが設けられているフードが開閉自在に設けられて薬剤揮散容器が構成され、前記本体内部の所定の位置に形成された電池ボックス収納部と、この電池ボックス収納部に収納される電池ボックスと、この電池ボックスを前記電池ボックス収納部に挿抜するために前記本体の背面側側壁に設けられた挿入口とを備え、前記電池ボックスは、互いに嵌め込んで一体化してなるカバーと電池支持体とでできていて、前記電池支持体は中間隔壁で互いから分離されて並置された乾電池収納部を有するとともに、この乾電池収納部は、電池支持体の上面と下面との両側に、上面は２つ、下面は４つが、この電池ボックスを電池ボックス収納部に収納する方向に沿って設けられ、また、前記電池支持体の前記カバー側の壁の内面には、各乾電池収納部毎に対応させて接点ストリップが設けられ、逆にこの接点ストリップの反対側には、乾電池の対応する極の接点ストリップが設けられることで、乾電池は各乾電池収納部内に挿入された状態で各接点ストリップの構成により接続されるように構成された相互接続手段が設けられ、前記カバーの左右両縁からこの電池ボックスを電池ボックス収納部に収納する側に向かって一体に突設されたグリップと、このグリップをその弾性反発力によって係合する前記挿入口の左右両側の辺縁から開口内に向かって突設された係合片とで構成される固定機構が設けられていて、電池ボックス収納部に収納される電池ボックスが当該電池ボックス収納部の内部において所定の位置に支持され、装着された電池ボックスが容易に離脱すことができないように構成され、前記電池ボックスが本体の電池ボックス収納部に装着されて、この電池ボックスが前記固定機構によって所定の位置に保持された状態では、この電池ボックスの前記カバーが本体の外装面と面一となるように構成されていることを特徴とする薬剤揮散容器。
【発明の詳細な説明】
【技術分野】
【０００１】
本発明は、電池ボックス及びこれを用いた電子機器、更に詳しくは、複数の乾電池若しくは複数の電池パックを選択的に装着する電池ボックスと、この電池ボックスの収納部を有して、乾電池や電池パックを電源としてモーターの出力回転軸を回転させることにより、薬剤含浸体から薬剤を揮散させるようにして、虫除け効果、或いは蚊とり効果などを発揮させる薬剤揮散容器に関する。
【背景技術】
【０００２】
従来から、例えば容器内に収容してある発熱体によって薬剤を揮散させたり、カートリッジタイプの薬剤容器をモーターで回転させることで、このカートリッジ内に収納した薬剤を蒸散させたりして虫除け効果、或いは蚊とり効果などを発揮させる薬剤揮散容器においては、その主電源として、ほぼ円柱形状からなる一般的な乾電池、主に単３型、１．５Ｖの他、この円柱形状の乾電池を複数本集合させた形態としてのほぼ同形形状からなるいわゆるパック型の電源電池など（これらを総称して以下単に乾電池という）種々の形態のものが採用されている。
【特許文献１】特開平８−２２８６５５号公報
【特許文献２】特許公開２００４−５９５４８号公報
【特許文献３】特許公開２００５−３０４４２５号公報
【特許文献４】特許公開２００６−１３６３１３号公報
【特許文献５】特許公開２００６−１５８４６８号公報
【特許文献６】特許公開２００６−２３０２４２号公報
【特許文献７】特許公開２００６−２８８３３０号公報
【発明の開示】
【発明が解決しようとする課題】
【０００３】
このような従来の製品では、発熱体を熱したりファンや薬剤容器などを回転させる動力源となる電池は、容器本体内に一体に組み込まれた電池ボックスに収容されている。しかも、一般的には、例えば単３型、１．５Ｖ、２本のみ、また、パック型電池は１個のみを収容するように構成されている。一方、カートリッジタイプの薬剤容器としては段階的に使用期間を設定（３０日間、６０日間、９０日間など）した商品が提供されている。
【０００４】
しかし、この従来の製品は、電池の収納量が一定であるために、使用期間が一定で、概ね３０日間しか使えず、６０日間や９０日間使用した場合は、途中で乾電池を交換する必要があった。すなわち、この従来品は、使用期間の点で使い勝手が悪く、改善が求められている。
【０００５】
本発明者等は、この従来の製品の問題点を解決すべく、種々検討を重ねた。その結果、電池の収納の仕方に工夫を重ね、これを二段重ねとすることによって、従来の製品の問題点を上手くクリアーできるようになったので、ここに提案する。
【０００６】
したがって、本発明の課題は、簡単に乾電池をセットしたり、取り外したりできるようにし、併せて使用期間の長短を自在に選択できて使い勝手が良く、更にはコンパクトで見栄えも良くなる薬剤揮散容器を提供することである。
【課題を解決するための手段】
【０００７】
以上の技術的な課題を解決するために、本発明の請求項１に係る薬剤揮散容器は、本体内に設けられた電動モーターの出力回転軸をこの本体の上面に突出させ、この出力回転軸に防虫成分を含浸させた基体が連結されるとともに、前記本体の上部には全周にわたって多数の揮散用のスリットが設けられているフードが開閉自在に設けられて薬剤揮散容器が構成され、前記本体内部の所定の位置に形成された電池ボックス収納部と、この電池ボックス収納部に収納される電池ボックスと、この電池ボックスを前記電池ボックス収納部に挿抜するために前記本体の背面側側壁に設けられた挿入口とを備え、前記電池ボックスは、互いに嵌め込んで一体化してなるカバーと電池支持体とでできていて、前記電池支持体は中間隔壁で互いから分離されて並置された乾電池収納部を有するとともに、この乾電池収納部は、電池支持体の上面と下面との両側に、上面は２つ、下面は４つが、この電池ボックスを電池ボックス収納部に収納する方向に沿って設けられ、また、前記電池支持体の前記カバー側の壁の内面には、各乾電池収納部毎に対応させて接点ストリップが設けられ、逆にこの接点ストリップの反対側には、乾電池の対応する極の接点ストリップが設けられることで、乾電池は各乾電池収納部内に挿入された状態で各接点ストリップの構成により接続されるように構成された相互接続手段が設けられ、前記カバーの左右両縁からこの電池ボックスを電池ボックス収納部に収納する側に向かって一体に突設されたグリップと、このグリップをその弾性反発力によって係合する前記挿入口の左右両側の辺縁から開口内に向かって突設された係合片とで構成される固定機構が設けられていて、電池ボックス収納部に収納される電池ボックスが当該電池ボックス収納部の内部において所定の位置に支持され、装着された電池ボックスが容易に離脱すことができないように構成され、前記電池ボックスが本体の電池ボックス収納部に装着されて、この電池ボックスが前記固定機構によって所定の位置に保持された状態では、この電池ボックスの前記カバーが本体の外装面と面一となるように構成されたものである。
【０００８】
上記のような構成によれば、電池ボックスは、予め、乾電池支持体の両面に設けられた乾電池収納部に乾電池を、必要個数を装填する。使用期間が、例えば３０日間とすると、片面の複数個の装着部のみに乾電池を収納する。また、これが６０日、９０日間となるとその期間の長さに応じて、乾電池の本数を増量して装填する。装填された乾電池の本数に応じて使用期間を長短選択できる。
【発明の効果】
【０００９】
したがって、この発明は以下の効果を奏する。
以上説明したように、本発明の請求項１に係る薬剤揮散容器は、電池ボックスの形状を、例えば上側と下側の両面に別々に使えるように工夫して構成したものであるから、例えば単３型乾電池２本を上側に、下側に４本（電池パックでは、上側１個、下側２個）と言うように、夫々独立してセットできる。したがって、具体的な使用の態様としては、上側２本のみをセットした場合は３０日用、下側４本のみをセットした場合は６０日用、更に上、下合計６本をセットした場合は９０日用などのように種々のパターンで使い分けでき、選択性を格段に改善できる。併せて、上下二段に収納部を分けて構成してあるために、平面的な嵩高さも従来品に比べて何ら遜色のなくコンパクトである。
【００１０】
また、乾電池収納部は、乾電池を位置決めし且つ固定するための隣接した区画から成り、乾電池支持体の上面と下面に設けられているので、平面的な嵩高さが上手く改善され、薬剤揮散容器の大きさを従来のものと何ら変わることなくその投影下内、つまり占有面積内に収めることができる。
【００１１】
また、この発明は、電池ボックスを収納するために本体の下部内に設けられた電池ボックス収納部と、この電池ボックス収納部に収納された上記乾電池に接触するように当該電池ボックス収納部に配置された接点と、電池ボックスを電池ボックス収納部に固定保持する係脱自在な固定機構とを備え、電源ボックスの電源を電子機器本体側に給電する電気的な接続手段とを備えたものである。
【００１２】
従来の本体内に電池ボックスを固定的に装備したり、カートリッジ形式の電池ボックスを本体に着脱したりする薬剤揮散容器とは全く違って、薬剤揮散容器本体の下部内に挿抜自在に装着する。
したがって、電池ボックスをスライドなどさせて、簡単に取り出したり、挿入したりして、乾電池をセットでき、乾電池を、手数少なく、容易にセットできる。併せて、電池ボックスも含めて薬剤揮散容器の全体が嵩低く、まとまりよくコンパクトで、見栄えも良い。しかも、乾電池の個数の増減によって使用期間の長短も自在に設定でき、一層使い勝手が改善される。
【発明を実施するための最良の形態】
【００１３】
簡単に乾電池をセットしたり、取り外したりできるようにし、併せて使用期間の長短を自在に選択できて使い勝手が良く、更にはコンパクトで見栄えも良くなる電池ボックスとこれを使用した電子機器を提供するという本発明の目的を、電子機器の一例として薬剤揮散容器に適用して実現した例に基づき、添付の図面を参照して以下に詳細に説明する。
【実施例１】
【００１４】
本発明に係る薬剤揮散容器の第１の実施例について、図１〜９を参照しながら以下具体的に説明する。
【００１５】
先ず、薬剤揮散容器の概要を、図４〜６の記載に基づいて以下説明する。
薬剤揮散容器１は、防虫成分を含浸させた基体（図外）を内部に収容していて、これをモーターで回転させることで、防虫成分を外部に揮散させる。
薬剤揮散容器１の本体２の上部にはフード３が開閉自在に設けられていて、このフード３には、その全周にわたって多数の揮散用のスリット４が設けられている。このフード３を開閉し、防虫成分を含浸させた基体の取り付けおよび取り外しを行う。図６に示すように、フード３はその下部において、本体２に対してヒンジ５を介して結合され、反対側に設けられたフック６によって本体２に係止される。
【００１６】
薬剤揮散容器１の内部には、図６に示すように、電動モーター７が備わっている。この電動モーター７の出力回転軸８が本体１の上面中央に突出するように構成されている。この出力回転軸８に防虫成分を含浸させた上記基体が連結される。本体２前面のスイッチ９をオンすることによって、上記基体が回転し、防虫成分が揮散用の前記スリット４を通して大気中に揮散される。スイッチオンの状態では、ランプ１０が点灯する。
【００１７】
電池ボックス１１と本体２の電池ボックス収納部１２の構造を、図１〜３、図７、８の記載に基づいて以下に説明する。
電池ボックス１１は、図８に示すように、本体２内部の所定の位置に形成された電池ボックス収納部１２に収納される。そのために、本体２の背面側側壁２Ａに挿入口１３が設けられていて、ここからこの電池ボックス１１を本体２の前記電池ボックス収納部１２に挿入したり、これから引き出したりすることが可能に構成されている。
【００１８】
電池ボックス１１は、図１〜３、図７、８に示すように、互いに嵌め込んで一体化してなるカバー１４と電池支持体１５とでできている。電池支持体１５は合成樹脂製で、平らな中間隔壁１６で互いから分離されて並置された区画、つまりは乾電池収納部１７を有する。この乾電池収納部１７は、図示するように、電池支持体１５の上面１５Ａと下面１５Ｂとの両側に、収納される乾電池の長辺に沿う方向も、つまりは、この電池ボックス１１を電池ボックス収納部１２に収納する方向に沿って設けられている。上面１５Ａはこの電池支持体１５の左右中央部分に２つ、下面１５Ｂは４つが設けられている。この各乾電池収納部１７には、円形断面の細長い単３型で１．５ボルトの乾電池１８が挿入できるように構成されている（図３、７、８参照）。
【００１９】
図８に示すように、挿入口１３の左右開口縁１３Ａには、電池ボックス収納部１２に収納される電池ボックス１１が当該電池ボックス収納部１２の内部において所定の位置に支持され、装着された電池ボックス１１が容易に離脱すことができないように固定保持する固定機構１９が設けられる。
具体的には、先ず、図１〜３、５、８に示すように、カバー１４の左右両縁からこの電池ボックス１１を電池ボックス収納部１２に収納する側に向かって一体に突設されたグリップ２０と、図８（２）に示すように、このグリップ２０をその弾性反発力によって係合する前記挿入口１３の左右両側の辺縁から開口内に向かって突設された係合片２１とで構成される。グリップ２０は、図１（１）、図２（１）に示すように、上面視、アルファベットのほぼＵ字状を呈し且つ端部に摘み２２を設けて構成されている。また、このグリップ２０における電池ボックス１１を電池ボックス収納部１２に収納する側とは反対方向に伸びる片２０Ａの遊端には、この電池ボックス１１を電池ボックス収納部１２に挿抜するのに便利な前記摘み２２が設けられている。更に、前記片２０Ａにおける摘み２２の根元には左右横方向に向かって一体に係止爪２３が突設されていて、これが前記係合片２１に係合して、電池ボックス１１の電池ボックス収納部１２からの不用意な離脱を防止している。言うまでもなく、このグリップ２０は弾性変形可能であるから、摘み２２を互いにカバー１４側に近づけるように押し込むことによって前記片２０Ａが撓み、係合片２１から係止爪２３を離脱させ、電池ボックス１１を電池ボックス収納部１２から簡単に引き出せる。
【００２０】
また、前記電池ボックス１１が本体２の電池ボックス収納部１２に装着されて、この電池ボックス１１が固定機構１９によって所定の位置に保持された状態では、この電池ボックス１１の前記カバー１４が本体２の外装の一部を構成するように、つまり電池ボックス１１の一側面は本体２の外装面と面一となるように構成されている。
【００２１】
このように、電池ボックス１１は、その構成部材である電池支持体１５の上面１５Ａの左右中央部分に２つ、下面１５Ｂには４つの乾電池収納部１７が設けられているので、つ
まり上下二段にして並置したために、平面的な嵩高さも従来に比べ遜色がなく、コンパクトな電源ボックス１１である上に、乾電池収納部１７が電子機器内に一体に設けられたものに比べて使用期間の選択性が格段に改善され、大変使い勝手のよい電池ボックスである。
【００２２】
次に個々の乾電池１８の相互接続手段を説明する。
図２（１）、（２）に示すように、前記電池支持体１５の前記カバー１４側の壁２４の内面には、各乾電池収納部１７毎に対応させて接点ストリップ２５が設けられている。逆に前記カバー１４とは反対の側の壁２６（電池ボックス１１を電池ボックス収納部１２に収納する方向側）、つまり前記接点ストリップ２５の反対側には、乾電池１８の対応する極が前記本体２の内壁２Ｂに固定された接点ストリップ２７（図７参照）に接触できるように開口２８を備えている。乾電池１８は各乾電池収納部１７内に挿入された状態で各接点ストリップ２５、２７の構成により接続される。詳細は後述するが、その接続の対応は、直列であっても並列であっても良い（図例では直列接続である）。言うまでもなく、これら乾電池１８は、所定の電気的な配線によって、前記電動モーター７、スイッチ８、更にはランプ１０に電気的に接続されている。したがって、相互接続手段は、この電池ボックス１１の接点ストリップ２５と本体２の接点ストリップ２７で構成されている。
【００２３】
図８は、電地ボックス１１を薬剤揮散容器１の本体２の電池ボックス収納部１２に挿入する工程を示す。図例では、すべての乾電池収納部１７に乾電池１８が収納されていて、９０日間の使用が可能である場合を示している。
先ず、図８（１）に示される状態から、電池ボックス１１を本体２の電池ボックス収納部１２側に挿し込む。電池ボックス１１の挿入に伴って、各乾電池１７も前記本体２の内壁２Ｂに固定された接点ストリップ２７に向かって移動する。更に押し込むことによって、グリップ２０の係止爪２３が挿入口１３の開口辺縁に設けた係合片２１を乗り越え、ついには係合片２１に係止される〔図８（２）〕。これによって、不用意な外力によっても簡単には電池ボックス１１が本体２から離脱するおそれがなくなる。併せて電池ボックス１１内の各乾電池１８の本体２の内壁２Ｂ側の接点がこの本体２の内壁２Ｂ側の前記接点ストリップ２７に押し当てられて、乾電池１８から本体２へと通電される。
【００２４】
電池ボックス１１を電池ボックス収納部１２から離脱させるには、まず前記摘み２２を互いにカバー１４側に近づけるように押し込むことによって前記片２０Ａを撓ませ、係合片２１に対する係止爪２３の係合を解除する。この状態を保ちながら摘み２２をそのまま手前に引くことによって、電池ボックス１１を電池ボックス収納部１２から簡単に引き出せる。
【００２５】
なお、上記各図では乾電池１８として円柱形状からなる一般的な乾電池、主に単３型、１．５Ｖに適用する場合の構成を述べた。しかしこの構成では円柱形状の乾電池を複数本集合させた形態としてのほぼ同形形状からなるいわゆるパック型の電源電池に適用出来ないので、別の手段が必要となる。
つまり、図例では電池ボックス１１の各乾電池収納部１７は乾電池１８の一つ一つが独立して収納できるように中間隔壁１６で区画されているが、パック型の電源電池を収納するに当たってはこの中間隔壁１６は収納の邪魔になり、好ましい収納が果たせない。そこで、望ましい収納を可能にするために、図示しないが、中間隔壁１６を取り除くことによってうまく対応できる。この場合、電池支持体１５の下面１５Ｂに設けられて各乾電池収納部１２の内、左右中央部の隔壁１６Ａは残しておく方が、このパック型乾電池の収納が行い易くて良い。
【００２６】
次に図９は、上記実施例に示される構造の電気回路を示す。
電池ボックス１１内の乾電池１、２（図中、丸付き数字）の２本が直列接続され、乾電
池３、４、５、６（図中、丸付き数字）の４本が直列接続され、その直列接続の組が並列に接続されている。電源ボックス１１内の乾電池１８は、隣り合うもの同士が交互に逆向きに挿入されるように構成され、乾電池は４本と２本の二段に配置されることは先に述べた通りであるが、上段に２本の乾電池１、２が、下段に３、４、５、６の４本が配置される。２本使用の場合（例えば３０日間の使用期間）は上段２本１、２を、４本使用の場合（例えば６０日間の使用期間）は下段４本３、４、５、６を、そして６本使用の場合（例えば９０日間の使用期間）は上段２本、下段４本の全ての乾電池を挿入する。
【００２７】
また、図例では、本体２側の内壁２Ｂに固定された接点ストリップ２７が設けられ、ここに電池ボックス１１の各乾電池１８の極を夫々直に接触させるように構成してあるが、必ずしもこの手法にとらわれる必要はない。例えば、図１０、１１の実施例２に示すように、電池ボックス１１における電池ボックス収納部１２の前記壁２６の外面に正負一対の外部取り出し接点２９を設けるとともに、本体２側の内壁２Ｂにも、正負一対の接点を設けて、両者を接触する手法が採用されても良い。
【実施例２】
【００２８】
この外部取り出し接点２９を設ける具体的な構造は以下の通りである。
すなわち、図１０（１）、（２）に示すように、電池ボックス１１は、先の実施例１と同様に、互いに嵌め込んで一体化してなるカバー１４と電池支持体１５とでできている。電池支持体１５は合成樹脂製で、平らな中間隔壁１６で互いから分離されて並置された区画、つまりは乾電池収納部１７を有する。この乾電池収納部１７は、図示するように、電池支持体１５の上面１５Ａと下面１５Ｂとの両側に、収納される乾電池の長辺に沿う方向、つまりは、この電池ボックス１１を電池ボックス収納部１２に収納する方向に沿って設けられている。上面１５Ａはこの電池支持体１５の左右中央部分に２つ、下面１５Ｂは４つが設けられている。この各乾電池収納部１７には、円形断面の細長い単３型で１．５ボルトの乾電池１８が挿入できるように構成されている。なお、前記電池支持体１５は、上面１５Ａと下面１５Ｂに直に乾電池収納部１７が形成されているが、互いに底を持つ上下二つのパーツで形成し、それらの底を互いに重合させ、適宜の嵌合接続手段を用いて一体に接続形成されるものであっても良い。若しくは一方に底を持つ上下二つのパーツで形成し、これらの二つのパーツを前記一方のパーツの底を共通させるようにし、適宜の嵌合接続手段を用いて一体に接続形成されるものであっても良い。この構成は、前記実施例１にも適用できることは言うまでもない。
【００２９】
また、前記電池ボックス１１が本体２の電池ボックス収納部１２に装着されこの電池ボックス１１が前記固定機構１９（図８参照）によって所定の位置に保持された状態では、この電池ボックス１１の前記カバー１４が本体２の外装の一部を構成するように、つまり電池ボックス１１の一側面は本体２の外装面と面一となるように構成されている。
【００３０】
更に、電池ボックス１１は、その構成部材である電池支持体１５の上面１５Ａの左右中央部分に２つ、下面１５Ｂには４つの乾電池収納部１７が設けられているので、平面的な嵩高さも従来に比べ遜色がなく、コンパクトな電源ボックス１１である上に、乾電池収納部１７が電子機器内に一体に設けられたものに比べて使用期間の選択性が格段に改善され、大変使い勝手のよい電池ボックスである。
【００３１】
次に個々の乾電池１８の相互接続手段を説明する。
前記電池支持体１５の前記カバー１４側の壁２４の内面には、各乾電池収納部１７毎に対応させて接点ストリップ２５（図例では負極）が設けられている。逆に前記カバー１４とは反対の側（電池ボックス１１を電池ボックス収納部１２に収納する方向側）、つまり前記接点ストリップ２５の反対側の壁２６の内面には、乾電池１８の対応する極を接触するために、接点ストリップ２５（図例では正極）が設けられている。本例の場合、先の実
施例１の図１〜３、図７、８に示されるものと違って、この前記カバー１４とは反対の側の壁２６には開口２８が無く、電池ボックス収納部１２の各乾電池収納部１７の前記カバー１４の反対の側は閉止されている。
【００３２】
そして、前記の通り、電池ボックス１１における電池ボックス収納部１２の前記壁２６の外面に正負一対の外部取り出し接点２９が設け〔図１０（３）、１１参照〕られるとともに、本体２側の内壁２Ｂでこの外部取り出し接点２９に対応する部位に、正負一対の接点（図１１参照）を設けて、両者を接触させる手法が採用される。電池１８は各乾電池収納部１７内に挿入された状態で各接点ストリップ２５の構成により接続される。詳細は次の項に譲る。言うまでもなく、これら乾電池１８は、所定の電気的な配線によって、前記電動モーター７、スイッチ８、更にはランプ１０に電気的に接続されている。したがって、相互接続手段は、この電池ボックス１１の接点ストリップ２５並びに外部取り出し接点２９、そして本体２の接点（図１１参照）で構成されている。
【００３３】
電池ボックス１１を薬剤揮散容器１の本体２の電池ボックス収納部１２に挿入するには、先の実施例１と同様の手順でおこなう。
【００３４】
図１１に、この図１０に示される変形例に採用される構造の電気回路を示す。
乾電池１、２、３（図中、丸付き数字）の３本が並列接続、同様に乾電池４、５、６（図中、丸付き数字）の３本が並列接続され、その並列接続の組が直列に接続されている。電池ボックス１１内の乾電池１８は全て、同じ方向に挿入されるように構成され、乾電池は４本と２本の二段に配置されることは先に述べた通りであるが、上段に２本の乾電池１、４が、下段に４本の乾電池２、３、５、６が配置される。２本使用の場合（例えば３０日間の使用期間）は上段２本の乾電池１、４を、４本使用の場合（例えば６０日間の使用期間）は下段４本の乾電池２、３、５、６を、そして６本使用の場合（例えば９０日間の使用期間）は上段２本、下段４本の全ての乾電池１〜６を挿入する。フューズ（ＦＵＳＥ）は、回路的には電池接続の中間に接続されていて、機器側で乾電池１８が短絡された場合は必ずフューズに過電流が流れる構成となっている。
【図面の簡単な説明】
【００３５】
【図１】本発明に係る電池ボックスを示し、（１）は正面斜め上から見た全体斜視図、（２）は上下反転させて斜め上から見た全体底面図である。
【図２】本発明に係る電池ボックスに乾電池を収納した状態を示し、（１）は全体平面図、（２）は全体底面図である。
【図３】本発明に係る電池ボックスに乾電池を収納した状態を示し、（１）は正面斜め上から見た全体斜視図、（２）は上下反転させて斜め上から見た全体底面図である。
【図４】本発明に係る電子機器の正面側から見た全体斜視図である。
【図５】図４に示される電子機器の背面図である。
【図６】フードを開放した状態の図１に対応する全体斜視図である。
【図７】電子機器の背部から前面側を望んだ説明縦断面図である。
【図８】作用の説明図で、（１）は電源ボックスを電源ボックス収納部に収納する前の状態を示す説明斜視図、（２）は一部を電源ボックス収納部に収納した状態を示す説明斜視図である。
【図９】図１の電池ボックスに乾電池を装着した後、これを電子機器に装着した場合における電気回路の説明図である。
【図１０】本発明に係る電池ボックスの変形例を示し、（１）は全体平面図、（２）は全体底面図、（３）は背面図である。
【図１１】図９に示される変形例に採用される電気回路の説明図である。
【符号の説明】
【００３６】
１…薬剤揮散容器
２…本体
１１…電池ボックス
１２…電池ボックス収納部
１３…挿入口
１４…カバー
１５…電池支持体
１７…乾電池収納部
１８…乾電池
と１９…固定機構
２５…接点ストリップ
２７…接点ストリップ
２８…開口
２９…外部取り出し接点
【図１】
0005174353.tif 000002
【図２】
0005174353.tif 000003
【図３】
0005174353.tif 000004
【図４】
0005174353.tif 000005
【図５】
0005174353.tif 000006
【図６】
0005174353.tif 000007
【図７】
0005174353.tif 000008
【図８】
0005174353.tif 000009
【図９】
0005174353.tif 000010
【図１０】
0005174353.tif 000011
【図１１】
0005174353.tif 000012